(57)【要約】【課題】給水ホースと給水弁との間の水漏れを抑制する。【解決手段】給水ホースと、締結部材と、筐体と、筐体に設けられる給水弁と、を有し、締結部材は、給水弁側口が給水弁に取付けられることが可能で、継手側口が給水ホースの他端側に取付けられることが可能な洗濯機であって、給水ホースは、他端側に継手部を有し、継手部は、継手側口に取付けられることが可能。【選択図】図３
2019034086.tif 000002
【特許請求の範囲】
【請求項１】
給水ホースと、
締結部材と、
筐体と、
該筐体に設けられる給水弁と、を有し、
前記締結部材は、
給水弁側口が前記給水弁に取付けられることが可能で、
継手側口が前記給水ホースの他端側に取付けられることが可能な洗濯機であって、
前記給水ホースは、他端側に継手部を有し、
該継手部は、前記継手側口に取付けられることが可能なことを特徴とする洗濯機。
【請求項２】
前記給水弁側口は、前記給水弁に螺合で取付けられることが可能であり、
前記継手側口は、前記継手部との間で挿嵌によって取付けられることが可能であることを特徴とする請求項１に記載の洗濯機。
【請求項３】
前記給水ホースは、前記継手側口に取付けられることが可能な継手部を一端側にも有することを特徴とする請求項１又は２に記載の洗濯機。
【請求項４】
前記給水弁側口は、前記給水弁に螺合で取付けられることが可能であり、
前記給水ホースは、一端側及び他端側の何れか一方にエルボ部を有し、他方にストレート部を有することを特徴とする請求項１乃至３何れか一項に記載の洗濯機。
【請求項５】
給水栓に一端側を、洗濯機の給水弁に取付けられる締結部材に他端側を、それぞれ取付可能な洗濯機用給水ホースであって、
前記一端側は、前記締結部材にも取付可能であることを特徴とする洗濯機用給水ホース。
【請求項６】
洗濯機の筐体に固定された給水弁に一方側が螺合可能な形状であり、給水ホースの継手部に他方側が取付可能な形状である洗濯機用締結部材。
【請求項７】
給水弁が固定された筐体、給水弁側口及び継手側口を有する締結部材、及び、エルボ部及び継手部を有する給水ホースと、を準備する準備ステップと、
前記給水弁に前記給水弁側口を螺合する螺合ステップと、
前記継手側口に前記継手部を取付る取付ステップと、を含み、
前記螺合ステップの後に前記取付ステップを行う洗濯機の設置方法。
【発明の詳細な説明】
【技術分野】
【０００１】
本発明は、洗濯機、洗濯機用給水ホース及び洗濯機用締結部材並びに洗濯機の設置方法に関する。
【背景技術】
【０００２】
特許文献１は、ナット本体台座部４とエルボ部材１２とを一体形成したナット部材２を開示している（図１，２）。
【先行技術文献】
【特許文献】
【０００３】
【特許文献１】特開２０１３−２３６６９７号公報
【発明の概要】
【発明が解決しようとする課題】
【０００４】
特許文献１のナット部材２を給水弁５に取付ける場合、突出部３を手で回すことで給水弁５のねじ部９とナット部材２のナット本体台座部４のねじ部とを螺合させていくことになる。しかし、ナット部材２のエルボ部材１２は、エルボ部材１２が延在する方向に重さを加えるため、ねじ部が互いにずれていき、螺合を高精度に行うことが困難である。すなわち、螺合が十分に行われず水漏れを生ずる虞がある。
【課題を解決するための手段】
【０００５】
上記事情に鑑みてなされた洗濯機に係る発明は、給水ホースと、締結部材と、筐体と、該筐体に設けられる給水弁と、を有し、前記締結部材は、給水弁側口が前記給水弁に取付けられることが可能で、継手側口が前記給水ホースの他端側に取付けられることが可能な洗濯機であって、前記給水ホースは、他端側に継手部を有し、該継手部は、前記継手側口に取付けられることが可能なことを特徴とする。
【０００６】
また、上記事情に鑑みてなされた給水ホースに係る発明は、給水栓に一端側を、洗濯機の給水弁に取付けられる締結部材に他端側を、それぞれ取付可能な洗濯機用給水ホースであって、前記一端側は、前記締結部材にも取付可能であることを特徴とする。
【０００７】
また、上記事情に鑑みてなされた洗濯機用締結部材に係る発明は、洗濯機の筐体に固定された給水弁に一方側が螺合可能な形状であり、給水ホースの継手部に他方側が取付可能な形状である。
【０００８】
また、上記事情に鑑みてなされた洗濯機の設置方法に係る発明は、給水弁が固定された筐体、給水弁側口及び継手側口を有する締結部材、及び、エルボ部及び継手部を有する給水ホースと、を準備する準備ステップと、前記給水弁に前記給水弁側口を螺合する螺合ステップと、前記継手側口に前記継手部を取付る取付ステップと、を含み、前記螺合ステップの後に前記取付ステップを行う。
【図面の簡単な説明】
【０００９】
【図１】実施例１の洗濯機の斜視図
【図２】実施例１の給水ホース近傍を拡大した図
【図３】実施例１の給水ホースの他端側、締結部材、給水弁の分解斜視図
【図４】（ａ）は実施例１の締結部材取付前の洗濯機の斜視図、（ｂ）は実施例１の締結部材を取り付けた洗濯機１の斜視図
【図５】実施例１の洗濯機の給水弁、締結部材及び給水ホースの断面図
【発明を実施するための形態】
【００１０】
以下、本発明の実施例を添付の図面を参照しながら詳細に説明する。洗濯機（洗濯乾燥機）としては、種々公知の種類を採用することができ、例えば、縦型の洗濯機（洗濯乾燥機）、ドラム式の洗濯機（洗濯乾燥機）に適用することが可能である。
【実施例１】
【００１１】
［洗濯機１］
図１は実施例１の洗濯機１の斜視図、図２は実施例１の給水ホース近傍を拡大した図、図３は実施例１の給水ホース２０の他端側、締結部材３０、給水弁４０の分解斜視図、である。
洗濯機１は、筐体１０と、給水ホース２０と、締結部材３０と、給水弁４０とを備えている。洗濯機１は、不図示の外槽、内槽、モータ、除湿手段、加熱手段（ヒータ）、送風手段（送風ファン）などを含んで構成されている。外槽は、洗濯室および乾燥室として機能するものであり、筐体１０内において弾性支持されている。内槽は、外槽内に設けられ、モータによって回転駆動される。除湿手段は、乾燥運転時に生じる高温多湿の空気を冷却して除湿する機能を有している。加熱手段は、乾燥運転時に除湿された空気を加熱する機能を有している。送風手段は、加熱手段、外槽（内槽）、除湿手段の順に空気を循環させる機能を有している。本実施例は、洗濯機１として乾燥機能を備える洗濯乾燥機を例示するものだが、乾燥機能を有しない洗濯機であってもよい。
【００１２】
［給水ホース２０］
給水ホース２０は、ホース部２１、ホース部２１の一端側及び他端側それぞれに設けた継手部２２、ホース部２１の一端側の継手部２２直前に設けたストレート部２２３、ホース部２１の他端側の継手部２２直前に設けたエルボ部２２２を有する。エルボ部２２２は、ホース部２１の他端に挿嵌されることで固定されている（ホース接続部２２４）。
【００１３】
給水ホース２０は、給水栓１００から供給される水道水（清水）を洗濯機本体１０に供給する。ホース部２１の他端側は、継手部２２を介して給水栓１００に接続されている。また、ホース部２１の一端側は、ストレート部２２３を介して給水栓１００に接続されており、ホース部２１の他端側は、エルボ部２２２及び締結部材３０を介して給水弁４０に接続されている。
【００１４】
ホース部２１は、可撓性を有する例えばゴム製のホースである。給水弁４０から給水栓１００までの距離（高さ）に応じて撓み変形することができるので、洗濯機本体１０と給水栓１００との距離（高さ）がホース部２１の長さ以下であれば、給水ホース接続口１２と給水栓１００とを接続して給水栓１００から給水ホース接続口１に水道水を供給できる。給水弁４０は、略鉛直方向に向けて開口しているので、給水弁４０側にエルボ部２２２が位置するように給水ホース２０を取り付けることで、ホース部２１が上方に向かって延在し、鉛直方向に嵩張った外観となることを抑制できる。
【００１５】
継手部２２は、ホース部２１の一端と給水栓１００とを接続したりホース部２１の他端と締結部材３０の他方側とを接続する部材であり、公知の部材を採用することができる。継手部２２の開口を締結部材３０に嵌合させるとともに係止部２２１を締結部材３０に係止することで、継手部２２及び締結部材３０を連通しつつ固定できる。
それぞれの継手部２２の構造を共通化すれば、給水ホース２０のどちら側の端部を使用しても給水弁１００及び締結部材３０のどちらにも接続できるため、扱いが容易である。
【００１６】
エルボ部２２２は、ホース部２１の他端に一端が固定されており、他端が継手部２２のうち締結部材３０に接続する部分に固定された部材である。エルボ部２３は、一端から他端にかけて湾曲した、例えば略９０°曲がった形状をしている。
【００１７】
［締結部材３０］
締結部材３０は、凸部３０１、継手口３０２、螺合部３０３、平面部３０４、給水弁側口３０５を有する。
凸部３０１は、径方向に突出した部分であり、給水ホース２０を取付けようとする者は、凸部３０１に触れて締結部材３０を回転させることで、給水弁側口３０５及び給水弁４０を螺合させることができる。また、継手口３０２には、締結部材３０の開口を挿入することができる。継手口３０２は、平面部３０４から延在している。給水弁側口３０５は、継手口３０２とは反対方向に向かって延在している。
【００１８】
［給水弁４０］
給水弁４０は、筐体１１に取り付けられており、締結部材３０と螺合可能なねじ部を有する。
【００１９】
［給水ホース２０の取付］
図４（ａ）は締結部材３０取付前の洗濯機１の斜視図、図４（ｂ）は締結部材３０を取り付けた洗濯機１の斜視図、図５は実施例１の洗濯機の給水弁、締結部材及び給水ホースの断面図である。
洗濯機１の製造直後は、給水弁４０に締結部材３０は取り付けられていない。この状態で洗濯機１を梱包することにより、洗濯機１の高さ寸法を低減することができるので、輸送効率を好適にすることができる。締結部材３０は、洗濯機１とともに梱包されて出荷されても良いし、別部材として独立して梱包及び出荷しても良い。
【００２０】
給水弁４０に締結部材３０が取り付けられていない状態の洗濯機が購入されると、洗濯機１の設置者は、例えば洗濯機１を設置すべき場所において締結部材３０を給水弁４０に取付ける。本実施例では締結部材３０の一方側を給水弁４０に取付けられる構造としており、その取付は螺合によって行うことができる構造としているが、その他の取付態様であっても良い。締結部材３０は、ホース部２１やエルボ部２２２等と別部材であり、給水ホース２０と接続する前に給水弁４０に固定される。このため、締結部材３０は比較的軽量で、かつ重心が中央側に位置しているから、給水弁４０との螺合等の取付を高精度に行うことができるため、これらの間に隙間が生じて水が漏れるといった事態を抑制できる。
【００２１】
締結部材３０を給水弁４０に取付けた後、設置者は、継手側口３０２に継手部２２を挿入する。継手側口３０２と継手部２２とは、公知の取付構造によって、挿入動作のみ、又は挿入動作及び係止部２２１の締結部材３０への係止動作によって取り付けられることができる。同様の取付構造を給水栓１００側にも設けることで、給水ホース２０の両端どちら側でも、締結部材３０及び給水栓１００に接続することができる。
【００２２】
給水ホース２０の給水栓１００への取付は、締結部材３０への給水ホース２０の取付後、又は前に行うことができる。
【符号の説明】
【００２３】
１      洗濯機
１０    筐体
２０    給水ホース
２１    ホース部
２２    継手部
２２１  係止部
２２２  エルボ部
２２３  ストレート部
２２４  ホース接続部
３０    締結部材
３０１  凸部
３０２  継手側口
３０３  螺合部
３０４  平面部
３０５  給水弁側口
４０    給水弁
１００  給水栓
【図１】
2019034086.tif 000003
【図２】
2019034086.tif 000004
【図３】
2019034086.tif 000005
【図４】
2019034086.tif 000006
【図５】
2019034086.tif 000007